(57)【要約】【課題】交換ユニットの交換作業を安全確実で容易なものにすることができるようにした遊技機を提供する。【解決手段】前記遊技機（Ｓ）は、前記本体キャビネット（１）に対して交換可能に形成された交換ユニット（２）を備え、少なくとも前記リールユニット（２０）は、この前記リールユニット（２０）を装着するための枠（２１）を介して前記交換ユニット（２）に組み込まれ、前記交換ユニット（２）と、前記前扉（３）とは、着脱自在に形成され、前記交換ユニット（２）の左右には、前記本体キャビネット（１）の内面と前記交換ユニット（２）との間に手が差し込める隙間部（１００）を形成したことを特徴とする。【選択図】    図１
2004275414.tif 000002
【特許請求の範囲】
【請求項１】
正面側に開口する正面開口部を有する本体キャビネットと、前記本体キャビネットの高さ方向の途中に位置して前記本体キャビネットを上下に仕切る中板と、
前記本体キャビネットの正面開口部の上部を開閉自在に塞ぐ上扉と、
前記本体キャビネットの正面開口部の下部を開閉自在に塞ぐ下扉と、
複数の図柄が表示された回転リール及びこの回転リールを回転表示させるための駆動手段を有するリールユニットとを備えた遊技機であって、
前記遊技機は、前記本体キャビネットに対して交換可能に形成された交換ユニットを備え、
少なくとも前記リールユニットは、この前記リールユニットを装着するための枠を介して前記交換ユニットに組み込まれ、
前記交換ユニットと、前記前扉とは、着脱自在に形成され、
前記交換ユニットの左右には、前記本体キャビネットの内面と前記交換ユニットとの間に手が差し込める隙間部を形成したことを特徴とする遊技機。
【請求項２】
前記隙間部を、前記交換ユニットの上端と下端との間の一部に形成したことを特徴とする請求項１記載の遊技機。
【請求項３】
前記隙間部を、前記交換ユニットの手前側に形成したことを特徴とする請求項１又は請求項２記載の遊技機。
【請求項４】
前記隙間部を、前記交換ユニットの上方向に形成したことを特徴とする請求項１記載の遊技機。
【請求項５】
前記交換ユニットの左右の前記隙間部には、前記交換ユニットと、前記本体キャビネットとの間を固定する隙間固定装置をそれぞれ設け、
前記隙間固定装置は、前記交換ユニットの左右方向の固定位置を調整可能な固定位置調整手段を備えたことを特徴とする請求項１乃至４のいずれか１項に記載の遊技機。
【発明の詳細な説明】
【０００１】
【発明の属する技術分野】
この発明は、いわゆる分離型遊技機において、本体キャビネットからの交換ユニットの着脱が容易な遊技機に関するものである。
【０００２】
【従来の技術】
従来、パチンコ機や、スロットマシン等の遊技機を設置している遊技ホールでは、顧客のニーズや他店との競合で優位に立つために、遊技機の製造開発メーカーが開発した斬新なゲーム性をもつ、パチンコ機や、スロットマシンに新台入れ替えと称して、数か月に一度、あるいは、それよりも短いサイクルで遊技内容の異なる遊技機に交換するのが通例となっており、最近では、このサイクルが更に短くなる傾向にある。
【０００３】
そして、従来の遊技機においては、かかる新台入れ替えで遊技内容を変更する際には、遊技機全体を略まるごと交換しなければならなかった。しかし、遊技ホールにおいて、遊技内容を変更するための新台入れ替えの台交換の際、遊技内容の変更に無関係な部品も多数、同時に交換されることとなり、交換に要する費用がかかるだけでなく、資源の無駄になっていた。
【０００４】
そこで、近年、遊技内容に直接、影響するリールユニット及びこのリールユニットの回転リールの回転駆動等を制御する主基板（主制御装置）を、前扉に固定して、前扉ごと一体に本体キャビネットから着脱自在に形成して、交換可能とする発明がなされている（例えば、特許文献１、図１及び図３参照。）。
さらに、リールユニット及び主基板（主制御装置）を固定した前扉に、ホッパー装置（メダル払出装置）や電源装置を固定して、前扉ごと一体に本体キャビネットから着脱自在に形成して交換可能にする発明がなされている（例えば、特許文献１、図４参照。）。
【０００５】
さらに、近年では、遊技機を、遊技性に関わる部分と、遊技性に直接関わらない部分とに分け、このうち遊技性に関わる部分を交換することにより、全体を略まるごと交換することなく、新しい遊技機で遊技しているかのような印象を与えることができる分離型の遊技機の開発が進められている。
具体的には、スロットマシンの交換に際して、真に交換が必要な部材である遊技担当装置を特定し、かつ交換の効率化をも図った発明がなされている（例えば、特許文献２。）。
【０００６】
また、枠体等の構造用部材に前記リールユニット及び主基板（主制御装置）を設置した交換ユニットを、本体キャビネット内部に着脱自在に形成して、新旧の交換作業を容易にしたスロットマシンに関する技術がある（例えば、特許文献３。）。
上述したような遊技ホールでの新台入れ替えの際、遊技内容を変更するために遊技機全体を交換するのではなく、遊技内容を変更可能な交換ユニット等の部品だけを交換する、いわゆる分離型の遊技機において、交換ユニットと、この交換ユニットを収納する本体キャビネットの開口上部の寸法形状とは、両者のがたつき等を抑えるために、略同一寸法に設定され、両者の間に大きな隙間が無いように形成されている（例えば、特許文献３、第２図。）
【０００７】
【特許文献１】
特開平１０−５２５２５号公報（第１図、第３図、第４図）
【特許文献２】
特開２００３−２４５１３号公報
【特許文献３】
特開２００３−４７６８６号公報
【０００８】
【発明が解決しようとする課題】
上述したような、いわゆる分離型の遊技機において、交換ユニットの取り付け作業や、取り外し作業は、交換ユニットの手前側や側面側の枠等の一部を握って、本体キャビネットから、ある程度、引き出して、その後、交換ユニットの枠等の上部等を持ち直して、取り外していた。また、新しい交換ユニットを本体キャビネットに取り付ける際には、上述した手順の逆を行うことにより、新しい交換ユニットの取り付け作業を行っていた。これらの交換作業において、交換ユニットの重量が手に加わらずに手前側に少し引き出す作業（或いは押し込む作業）と、交換ユニットの重量が手に加わって取り外して移動する作業（或いは移動して取り付ける作業）との作業を行う必要がある。かかる作業において、交換ユニットが本体キャビネット内部に収納された状態では、交換ユニットと本体キャビネットとの間に手を差し込むだけの隙間が形成されていないため、作業途中で、交換ユニットを掴んでいる手を一旦外して、手の掴む位置を変える必要があった。しかし、作業途中、手の掴む位置を変えるために交換ユニットを本体キャビネットからある程度、途中まで引き出した状態で、交換ユニットを掴んでいる手を離すことは、交換ユニットが不安定な状態になり、交換ユニットが手前側から落下する可能性がある。したがって、交換ユニットが手前側から落下しないように、常に交換ユニットを手で支持して、注意深く作業を行わなければならず、交換ユニットの交換作業が大変であるという問題点があった。
【０００９】
このように、交換ユニットを交換することにより、遊技内容を変更可能な、いわゆる分離型の遊技機と呼ばれるものにおいて、交換ユニットを本体キャビネット内部に差し込むことによる取り付けや、或いは交換ユニットを本体キャビネットから引っ張りだすことによる取り外し等の着脱作業を行う交換ユニットの交換作業が、手の掴む位置を変更しなければならないことにより、容易ではないという第一の問題点があった。
【００１０】
また、交換ユニットと本体キャビネットとの間に隙間を形成していないため、交換ユニットの着脱作業において、交換ユニットの周囲を本体キャビネットの内面に衝突させる場合があり、かかる衝突により機器の破損が発生するという第二の問題点があった。
また、交換ユニットの本体キャビネットとの間に隙間を形成していないため、交換ユニットを本体キャビネットの内部に差し込む際、交換ユニットの差し込み位置の許容量の範囲が狭く、正確な取り付け位置が解らずに、交換作業者がまごついてしまうという第三の問題点があった。
【００１１】
そこで、各請求項にそれぞれ記載された各発明は、上記した従来の技術の有する問題点に鑑みてなされたものであり、その目的とするところは、次の点にある。
（請求項１）
すなわち、請求項１記載の発明は、上記した従来の技術の有する第一の問題点に鑑みてなされたものであり、その目的とするところは、交換ユニットの交換作業を安全確実で容易なものにすることができるようにした遊技機を提供しようとするものである。
【００１２】
（請求項２）
請求項２記載の発明は、上記した請求項１記載の発明の目的に加え、次の点を目的とする。
すなわち、請求項２記載の発明は、隙間部の上側及び下側の部分を、交換ユニットの空間として利用することができて、本体キャビネットの内部空間を有効に利用することができるようにした遊技機を提供しようとするものである。
【００１３】
（請求項３）
請求項３記載の発明は、上記した請求項１又は請求項２記載の発明の目的に加え、次の点を目的とする。
すなわち、請求項３記載の発明は、隙間部の奥側の部分を交換ユニットの空間として利用することができて、本体キャビネットの内部空間を有効に利用することができるようにした遊技機を提供しようとするものである。
【００１４】
（請求項４）
請求項４記載の発明は、上記した請求項１乃至３のいずれか１項に記載の発明の目的に加え、次の点を目的とする。
すなわち、請求項４記載の発明は、上記した従来の技術の有する第二及び第三の問題点に鑑みてなされたものであり、その目的とするところは、交換ユニットの着脱作業において、交換ユニットと本体キャビネットとの衝突による機器の破損を防止することができ、また、差し込む位置の許容量の範囲を大きくすることができて交換作業の容易化を図ることができるようにした遊技機を提供しようとするものである。
【００１５】
（請求項５）
請求項５記載の発明は、上記した請求項１乃至４のいずれか１項に記載の発明の目的に加え、次の点を目的とする。
すなわち、請求項５記載の発明は、交換ユニットをしっかりと固定することができることに加えて、交換ユニットの固定位置の許容幅を大きくすることができ、交換ユニットの設置作業を容易なものにすることができるようにした遊技機を提供しようとするものである。
【００１６】
【課題を解決するための手段】
（特徴点）
各請求項にそれぞれ記載された各発明は、上記した各目的を達成するためになされたものであり、各発明の特徴点を図面に示した発明の実施の形態を用いて、以下に説明する。
【００１７】
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものでない。
（請求項１）
請求項１記載の発明は、次の点を特徴とする。
【００１８】
すなわち、正面側に開口する正面開口部（１１）を有する本体キャビネット（１）と、前記本体キャビネット（１）の高さ方向の途中に位置して前記本体キャビネット（１）を上下に仕切る中板（１２）と、前記本体キャビネット（１）の正面開口部（１１）の上部を開閉自在に塞ぐ上扉（３０）と、前記本体キャビネット（１）の正面開口部（１１）の下部を開閉自在に塞ぐ下扉（４０）と、複数の図柄が表示された回転リール（２３）及びこの回転リール（２３）を回転表示させるための駆動手段を有するリールユニット（２０）とを備えた遊技機（Ｓ）であって、前記遊技機（Ｓ）は、前記本体キャビネット（１）に対して交換可能に形成された交換ユニット（２）を備え、少なくとも前記リールユニット（２０）は、この前記リールユニット（２０）を装着するための枠（２１）を介して前記交換ユニット（２）に組み込まれ、前記交換ユニット（２）と、前記前扉（３）とは、着脱自在に形成され、前記交換ユニット（２）の左右には、前記本体キャビネット（１）の内面と前記交換ユニット（２）との間に手が差し込める隙間部（１００）を形成したことを特徴とする。
【００１９】
なお、ここで、「回転リール（２３）」とあるのは、周囲に複数の図柄を表示したものが、実際に回転するようなものに限定されるものではなく、液晶画面に表示されるようなものも含まれるものである。具体的には、例えば、パチンコ機等の遊技盤面の中央に設けた液晶装置を使用することにより、周囲に複数の図柄を表示した回転リールが回転するような画像を当該液晶装置によって遊技者に向かって表示するものも含まれる。また、ここで、「遊技機（１０）」とは、具体的には、例えば、スロットマシンであるが、上述した回転リール（２３）を有するパチンコ機や、その他の遊技機を含むものである。
【００２０】
また、ここで、「前記本体キャビネット（１）に対して交換可能に形成された交換ユニット（２）」とは、具体的には、交換ユニット（２）と本体キャビネット（１）との間の隙間部（１００）に位置して、図３に示すような両者間を押圧することにより、両者を固定することができるような隙間固定装置（１２０）のようなものを備えていることにより、交換ユニット（２）を本体キャビネット（１）から容易に交換することができるようなものを含むものである。また、具体的には、図８に示すように交換ユニット（２）の枠（２１）の左右両端に鉤状に形成されたフック（３４）と、本体キャビネット（１）の左右内面に固定されて、前記フック（３４）を引っかけて固定可能なクリップ（図示せず）とからなる着脱が容易な固定装置（１０）を備えていることにより、交換ユニット（２）を本体キャビネット（１）から容易に交換することができるようなものを含むものである。また、交換ユニット（２）は、リールユニット（２０）の回転リール（２３）を、その周囲に配置した図柄が異なるものに変更することにより、遊技内容を変更する際や、主制御装置（２５）の抽選確率を変更することにより、遊技内容を変更する際等に取り外されるものである。
【００２１】
また、ここで、「リールユニット（２０）を装着するための枠（２１）」とは、少なくともリールユニット（２０）を本体キャビネット（１）の内部に固定するため、枠（２１）の内部にリールユニット（２０）を固定して一体のものにすることができるような枠状の構造体であれば良いものであって、具体的には、例えば、図２に示すような略直方体状の枠状構造体を含むものである。
【００２２】
また、ここで、本明細書において、「手前側」とは、交換作業者が、遊技機（Ｓ）の正面側に遊技機（Ｓ）の方を向いて位置しているような場合のかかる交換作業者の手前側を意味する。すなわち、「手前側」とは、遊技機（Ｓ）の奥側から正面側へ向かう方向を意味するものである。
また、ここで、本明細書において、「奥側」とは、交換作業者が、遊技機（Ｓ）の正面側に遊技機（Ｓ）の方を向いて位置しているような場合のかかる交換作業者から見たときの奥側を意味する。すなわち、「奥側」とは、遊技機（Ｓ）の正面側から後方側へ向かう方向、別の言い方をすると、遊技機（Ｓ）の扉（３）側から裏板（１８）側へ向かう方向を意味する。
【００２３】
また、ここで、「前記交換ユニット（２）の左右には、前記本体キャビネット（１）の内面と前記交換ユニット（２）との間に手が差し込める隙間部（１００）を形成した」とは、交換ユニット（２）の左右のそれぞれに、本体キャビネット（１）の内面と、交換ユニット（２）との間に交換作業者の手が手前側から差し込めるような隙間からなる空間である隙間部（１００）が形成されていることを意味する。
【００２４】
（作用）
本発明は、交換ユニット（２）の交換作業において、交換作業者が、隙間部（１００）に手を差し込んで、交換ユニット（２）の一部を手で掴むことができる。このため、交換作業者は、交換ユニット（２）の交換作業において、一旦、掴んだ手を持ち替える必要がなく、そのまま、交換ユニット（２）を本体キャビネット（１）から取り外すことができ、或いは、交換ユニット（２）を本体キャビネット（１）に取り付けることができる。これにより、交換ユニット（２）の取り付け作業、或いは交換ユニット（２）の取り外し作業中、交換作業者は交換ユニット（２）から手の掴み位置を変更する必要がなく、一体的で連続的な動作により、交換ユニット（２）の着脱作業を行うことができる。これにより、交換ユニット（２）の交換作業を安全確実で容易なものにすることができる。
【００２５】
（請求項２）
請求項２記載の発明は、上記した請求項１記載の発明の特徴点に加え、次の点を特徴とする。
すなわち、前記隙間部（１００）を、前記交換ユニット（２）の上端と下端との間の一部に形成したことを特徴とする。
【００２６】
本発明は、具体的には、例えば、図７に示すように、隙間部（１００）を、上端と下端との間の一部、すなわち上下方向の高さの途中の一部に、形成していることを意味する。また、これは、交換ユニット（２）の左右に隙間部（１００）を設けていない部分があることを意味するものである。
（作用）
本発明は、隙間部（１００）を、交換ユニット（２）の左右であって、交換ユニット（２）の上端と下端との間の一部に形成している。このため、交換ユニット（２）の左右であって、交換ユニット（２）の上端と下端との間の一部の隙間部（１００）以外の部分には、交換ユニット（２）を形成することができる。これにより、交換ユニット（２）の左右の一部に手を差し込めるだけの隙間部（１００）を形成し、かかる隙間部（１００）の以外の隙間部（１００）の上側及び下側の部分を、交換ユニット（２）の空間として利用することができる。これにより、交換ユニット（２）の左右全体に隙間部（１００）を形成するような場合と比較して、本体キャビネット（１）の内部空間を有効に利用することができる。
【００２７】
（請求項３）
請求項３記載の発明は、上記した請求項１又は請求項２記載の発明の特徴点に加え、次の点を特徴とする。
すなわち、前記隙間部（１００）を、前記交換ユニット（２）の手前側に形成したことを特徴とする。
【００２８】
（作用）
本発明は、隙間部（１００）を、交換ユニット（２）の左右であって、交換ユニット（２）の手前側に形成している。このため、交換ユニット（２）の左右であって、交換ユニット（２）の手前側以外の部分、すなわち、交換ユニット（２）の奥側には、交換ユニット（２）を形成しないようにすることができる。これにより、交換ユニット（２）の左右の手前側に手を差し込めるだけの隙間部（１００）を形成し、隙間部（１００）の奥側の部分を交換ユニット（２）の空間として利用することができる。したがって、交換ユニット（２）の左右の手前側から奥側にまで、前後方向の全奥行きにわたって隙間部（１００）を形成するような場合と比較して、本体キャビネット（１）の内部空間を更に有効に利用することができる。
【００２９】
（請求項４）
請求項４記載の発明は、上記した請求項１記載の発明の特徴点に加え、次の点を特徴とする。
すなわち、前記隙間部（１００）を、前記交換ユニット（２）の上方向に形成したことを特徴とする。
【００３０】
本発明は、隙間部（１００）を、交換ユニット（２）の左右方向に加えて、上方向にも形成していることを意味するものである。
（作用）
本発明は、交換ユニット（２）の左右方向及び上方向において、本体キャビネット（１）との間に隙間の空間を形成することができる。これにより、交換ユニット（２）を本体キャビネット（１）の正面開口部（１１）の上部に着脱する際、交換ユニット（２）の左右方向及び上方向を本体キャビネット（１）の内面に衝突させることなく、着脱作業を行うことができる。これにより、かかる衝突による機器の破損を防止することができる。
【００３１】
また、このように左右方向及び上方向に隙間部（１００）を形成したことにより、交換ユニット（２）を本体キャビネット（１）に差し込む際、隙間部（１００）を形成していない場合よりも、差し込む位置の許容量の範囲を大きくすることができ、差し込み位置を簡単に得ることができる。これにより、交換作業の容易化を図ることができる。
【００３２】
（請求項５）
請求項５記載の発明は、上記した請求項１乃至４のいずれか１項に記載の発明の特徴点に加え、次の点を特徴とする。
すなわち、前記交換ユニット（２）の左右の前記隙間部（１００）には、前記交換ユニット（２）と、前記本体キャビネット（１）との間を固定する隙間固定装置（１２０）をそれぞれ設け、前記隙間固定装置（１２０）は、前記交換ユニット（２）の左右方向の固定位置を調整可能な固定位置調整手段（１２６）を備えたことを特徴とする。
【００３３】
なお、ここで、「左右方向の固定位置を調整可能」とは、隙間固定装置（１２０）による交換ユニット（２）の左右方向の固定位置が、予め定めた所定の一点ではなく、左右方向に固定位置を移動させることができることを意味するものである。具体的には、例えば、固定位置調整手段（１２６）は、図３に示すような位置調整ねじ（１２４）及び押さえカップ（１２５）からなるようなものであって、押さえカップ（１２５）を位置調整ねじ（１２４）に沿って所定方向にねじ込ませることにより、押さえカップ（１２５）による固定位置を位置調整ねじ（１２４）の軸方向に移動させることができるようなものを含むものである。
【００３４】
（作用）
本発明は、交換ユニット（２）の左右の隙間部（１００）において、隙間固定装置（１２０）が、交換ユニット（２）と本体キャビネット（１）との間をそれぞれ固定する。このため、隙間部（１００）を設けたにもかかわらず、交換ユニット（２）を、左右の隙間固定装置（１２０）を介して、本体キャビネット（１）の内側面の間にぶれることなく、しっかりと固定することができる。
【００３５】
そして、かかる隙間固定装置（１２０）は、交換ユニット（２）の左右方向の固定位置を調整可能な固定位置調整手段（１２６）を備えていることにより、交換ユニット（２）の固定位置が、左右方向にずれていても、かかるずれに対応して、交換ユニット（２）の固定位置を調整することができる。これにより、固定位置調整手段（１２６）を有していない場合と比較して、交換ユニット（２）の固定位置の許容幅を大きくすることができる。したがって、交換作業者は交換ユニット（２）の設置作業を容易なものにすることができる。
【００３６】
【発明の実施の形態】
（第一の実施の形態）
（図面の説明）
図１乃至図６は、本発明の第一の実施の形態を示すものである。
図１は本体キャビネット内部に交換ユニットを取り付けた状態の外観正面図、図２は交換ユニットの外観斜視図、図３は隙間固定装置の外観斜視図、図４は隙間固定装置の縦断面図、図５及び図６は遊技機の分解斜視図をそれぞれ示す。
【００３７】
本実施の形態に係る遊技機Ｓは、具体的には、スロットマシンであって、図５及び図６に示すように、大きく分けて、正面側に開口する正面開口部１１を有する本体キャビネット１、本体キャビネット１内部に着脱自在に設けられる交換ユニット２、本体キャビネット１の正面開口部１１を開閉可能に塞ぐための前扉３とから構成されている。そして、本体キャビネット１の正面開口部１１は、本体キャビネット１の中板１２より上部に開口する開口上部１３と、本体キャビネット１の中板１２より下部に開口する開口下部１４とを備えている。そして、前記前扉３は、本体キャビネット１の開口上部１３を開閉可能に塞ぐための上扉３０と、本体キャビネット１の開口下部１４を開閉可能に塞ぐための下扉４０とを備えている。そして、交換ユニット２の手前側には、上扉３０が取り付けられている。すなわち、通常のいわゆる新台入れ替えの際には、上扉３０を取り外した状態で、交換ユニット２だけを交換することができるものである。
【００３８】
なお、本実施の形態において、「手前側」とは、交換作業者が、遊技機Ｓの正面側に遊技機Ｓの方を向いて位置しているような場合のかかる交換作業者の手前側を意味する。したがって、手前側方向とは、遊技機Ｓの奥から正面へ向かう方向を意味する。また、本実施の形態において、「奥側」とは、交換作業者が、遊技機Ｓの正面側に遊技機Ｓの方を向いて位置しているような場合のかかる交換作業者から見たときの奥側を意味する。したがって、奥側方向とは、遊技機Ｓの正面から奥へ向かう方向を意味する。さらに、本実施の形態において、右側とは、遊技機Ｓの正面に向かって対峙する交換作業者から見て、右側方向を意味し、また、左側とは、遊技機Ｓの正面に向かって対峙する交換作業者から見て、左側方向の意味するものである。
【００３９】
（本体キャビネット１）
上記本体キャビネット１は、全体形状が略箱状であって、図５に示すように、底板１５、側板１６、天板１７及び裏板１８からなる正面側に開口する筺体である。そして、この本体キャビネット１の高さ方向略中央部には、二つの側板１６の間に水平方向に中板１２が渡してある。そして、この中板１２は、交換ユニット２を本体キャビネット１の奥側内部に案内するためのガイド８０を左右側部に備えている。また、中板１２は、金属板からなるものである。そして、中板１２のガイド８０を除いた前端縁には上方に向かって９０度折り曲げられた立ち上がり片９４が形成されている。そして、底板１５には、電源装置４と、ホッパーユニットとも呼ばれる払い出し装置５とが固定されている。
【００４０】
ここで、電源装置４は、開口下部１４の底板１５の上面に取り付けられており、遊技店側が種々の設定を行うためのスイッチ等の操作部を有している。
上記電源装置４及び払い出し装置５は、交換ユニット２の交換に際し、必ずしも交換する必要のないものであり、交換時には設置されたままにしておけるようになっているものである。
【００４１】
また、側板１６の正面左側の下部には、前記下扉４０を係合させ、回転自在に支持するための本体係合部６２が、上下方向に間隔をおいて二つ設けられている。
さらに、本体係合部６２の対向側の右側の側板１６には、下扉４０を閉めた際、下扉４０をロックするための突出片６９（図６）が、上下方向に間隔をおいて二つ設けられている。
【００４２】
前記本体キャビネット１の開口上部１３には、交換ユニット２を交換可能に配置している。そして、本体キャビネット１の開口上部１３に交換ユニット２を配置した状態において、本体キャビネット１の内面と、交換ユニット２との間には、交換ユニット２との間に手が差し込める隙間部１００を形成している。
（隙間部１００）
上記隙間部１００は、交換ユニット２の左右方向及び上方向には、本体キャビネット１の内面と、交換ユニット２との間に交換作業者の手が差し込める隙間空間からなるものである。
【００４３】
前記隙間部１００は、交換ユニット２の正面から向かって右側側面と、本体キャビネット１の正面から向かって右側の側板１６内面との間に手が差し込める隙間空間からなる右隙間部１０１を有している。また、前記隙間部１００は、交換ユニット２の正面から向かって左側側面と、本体キャビネット１の正面から向かって左側の側板１６内面との間に手が差し込める隙間空間からなる左隙間部１０２を有している。また、前記隙間部１００は、交換ユニット２の正面から向かって上端面と、本体キャビネット１の正面から向かって上側の天板１７内面との間に手が差し込める隙間空間からなる上隙間部１０３を有している。そして、こられの右隙間部１０１、左隙間部１０２及び上隙間部１０３により、交換ユニット２の左右及び上方に連続する隙間空間である隙間部１００を形成している。
【００４４】
そして、交換ユニット２の左右の隙間部１００には、交換ユニット２と、本体キャビネット１との間を固定する隙間固定装置１２０をそれぞれ設けている。
（隙間固定装置１２０）
上記隙間固定装置１２０は、交換ユニット２の左右の隙間部１００において、交換ユニット２と本体キャビネット１との間を固定するためのものである。この隙間固定装置１２０は、本体キャビネット１の開口上部１３の左右の側板１６の内面側に１個ずつ形成されている。すなわち、右隙間部１０１及び左隙間部１０２のそれぞれに、隙間固定装置１２０を設けているものである。
【００４５】
前記隙間固定装置１２０は、側板１６の内面の高さ方向の略中央付近にねじ等の締結部材（図示せず）により固定された前後軸支持部１２２と、この前後軸支持部１２２により前後方向に支持された円柱状の前後軸１２１と、この前後軸１２１の前後方向に摺動及び円周方向に回転が可能な円筒状の回転円筒部１２３と、この回転円筒部１２３の略中央付近から延びて外周表面にねじが切られた位置調整ねじ１２４と、この位置調整ねじ１２４にねじ込まれて位置調整ねじ１２４の軸方向に回転移動可能な有底円筒状の押さえカップ１２５とを備えている。
【００４６】
前記前後軸支持部１２２は、左右の隙間固定装置１２０において、側板１６の内面の前後方向に平行にわたされた前後軸１２１の両端を側板１６に固定しているものである。
前記前後軸１２１の前後方向に回転円筒部１２３は摺動可能に形成され、そして、図４に示すように、前後軸１２１の外周表面の円周方向に回転円筒部１２３は、回転可能に形成されている。これにより、本体キャビネット１から交換ユニット２を取り外す際、或いは、交換ユニット２を取り付ける際には、図４に示すように、交換ユニット２の移動の邪魔にならないように、位置調整ねじ１２４及び押さえカップ１２５を下方向に向けることができるものである。
【００４７】
前記位置調整ねじ１２４は、回転円筒部１２３の外周面に固定されているものであって、回転円筒部１２３を前後軸１２１に沿って回転させることにより、その回転に伴って回転円筒部１２３から延びる方向を変化させることが可能なものである。
前記押さえカップ１２５は、その有底円筒部の中心に内周面にねじが切られたカップねじ孔１２７が形成されている。そして、かかるカップねじ孔１２７へ位置調整ねじ１２４をねじ込ませることにより、押さえカップ１２５を位置調整ねじ１２４の長手方向の任意の位置に調整することができる。これにより、図４に示すように、本体キャビネット１の側板１６の内面から押さえカップ１２５の先端までの距離を調整することができるものである。そして、押さえカップ１２５の先端が交換ユニット２の左右の側面の枠２１を押さえることにより、交換ユニット２を本体キャビネット１の任意の位置に固定することが可能となるものである。すなわち、位置調整ねじ１２４及び押さえカップ１２５は、交換ユニット２の左右方向の固定位置を調整可能な固定位置調整手段１２６としての役割を果たすものである。
【００４８】
さらに、具体的に説明する。固定位置調整手段１２６は、押さえカップ１２５を位置調整ねじ１２４の自由端に向かってねじを外す方向に回転させると、側板１６内面から押さえカップ１２５の先端までの距離を大きくすることができる。これにより、側板１６の内面と、交換ユニット２の外面との間の隙間部１００を、かかる隙間固定装置１２０により、固定することができる。そして、この隙間固定装置１２０を交換ユニット２の左右において、固定することにより、交換ユニット２を本体キャビネット１の所定位置に固定することができる。
【００４９】
一方、固定位置調整手段１２６は、押さえカップ１２５を位置調整ねじ１２４の基端側に向かってねじ込ませる方向に回転させると、側板１６内面から押さえカップ１２５の先端までの距離を小さくすることができる。これにより、側板１６内面と、交換ユニット２の外面との間の隙間部１００間を固定していた隙間固定装置１２０が外れて、交換ユニット２を自由に移動させることが可能となる。その際、左右の隙間固定装置１２０の固定位置調整手段１２６を図４に示すように、位置調整ねじ１２４の軸方向が鉛直方向となるように回転させることにより、押さえカップ１２５や位置調整ねじ１２４が左右から突出して交換ユニット２の取り付け及び取り外し作業の邪魔になることを回避することができる。
【００５０】
（ガイド８０）
上記ガイド８０は、交換ユニット２を本体キャビネット１の奥側内部に案内するためのものである。このガイド８０は、図５に示すように中板１２の左右に位置して、前後方向に形成された２本の帯板レール状のものであって、交換ユニット２の下部に配置された移動体８１としてのローラーが回転移動可能なものである。
【００５１】
（交換ユニット２）
上記交換ユニット２は、遊技ホールにおける、いわゆる新台入れ替えの際、遊技内容を変更するために本体キャビネット１に対して交換可能に形成されているものである。
なお、本実施の形態では、交換作業の際、上扉３０は交換ユニット２から取り外して、上扉３０はそのまま交換せずに、新しい交換ユニット２を取り付けた後、再度、取り外した上扉３０を交換ユニット２に取り付けている。すなわち、上扉３０は、交換せずに使用しているものである。もちろん、上扉３０を取り外して、再度、交換ユニット２に取り付ける際に新たな上扉３０を取り付けることにより、上扉３０も交換することができるものである。さらに、交換ユニット２と、この交換ユニット２の手前側に開閉可能に取り付けられた上扉３０とから一体的な取り扱いが可能な扉一体型交換ユニットを形成することもできるものである。かかる扉一体側交換ユニットにおいては、交換ユニット２及び上扉３０は、両者が一体となった状態で、本体キャビネット１から取り外し、また、取り付けることができるように形成しても良いものである。
【００５２】
上記交換ユニット２は、隙間固定装置１２０を介して本体キャビネット１に着脱自在に取り付けられているものである。この隙間固定装置１２０は、上述したように、交換ユニット２の左右と、本体キャビネット１の左右の側板１６の内面との間の隙間部１００に形成され、両者を固定する。
上記交換ユニット２は、リールユニット２０及び基板ユニット２４を装着するための四角枠状の部材を組み合わせた枠２１と、この枠２１の上部に位置してリールユニット２０の上方を覆う上板７０とを備えている。すなわち、リールユニット２０及び主制御装置２５は、これらを装着するための枠２１を介して、交換ユニット２に組み込まれているものである。また、交換ユニット２は、その下部に固定されてガイド８０に沿って移動可能な移動体８１を備えている。具体的には、移動体８１は、交換ユニット２の奥側左右の下部に回転可能な円板状の回転ローラーからなるものである。
【００５３】
前記交換ユニット２は、前記枠２１の下部に固定されたリールユニット２２と、枠２１の上部奥側に固定された基板ユニット２４とを備えている。
ここで、リールユニット２２は、周囲に複数の図柄を表示した３個の回転リール２３と、特に図示しないが、それぞれの回転リール２３を回転させるための駆動モータを有している。また、前記基板ユニット２４は、回転リール２３の回転等を制御するための主制御装置２５が透明樹脂からなる四角箱状の基板ケース２６の内部に収納されているものである。
【００５４】
前記枠２１の正面左側の縦枠には、前記上扉３０を回転自在に係合するための枠体係合部６０が、上下方向に間隔をおいて二つ設けられている。かかる枠体係合部６０は、交換ユニット２と本体キャビネット１との間に隙間部１００を形成したことにより、通常の遊技機の枠体係合部６０と比較して、右側横方向へ延長された延長枠体係合部６４からなるものである。すなわち、延長枠体係合部６４は、上扉３０の回転軸となる部分を本体キャビネット１の外側に配置するため、交換ユニット２から隙間部１００をわたって本体キャビネット１の外側へ延びている。
【００５５】
さらに、枠２１の正面右側の縦枠には、上扉３０を閉めた際、上扉３０をロックするための突出片６９が、上下方向に間隔をおいて二つ設けられている。かかる突出片６９は、隙間部１００を有していない遊技機では、かかる枠２１の縦枠から内側へ向かって延びるものであるが、本実施の形態のように枠２１と、側板１６との間に隙間部１００が形成されていることにより、枠２１の縦枠から隙間部１００側へ、すなわち枠２１の縦枠から外側へ延びるように形成されている。
【００５６】
このように、枠２１の左側の延長枠体係合部６４と、枠２１の右側の延長突出片６５とにより、上扉３０が枠２１に回動可能に固定され、両者を一体のものにすることができる。
また、前記枠２１の正面下端の横枠には、下方に向かって折れ曲がって、下方に向かって突出した状態の折れ曲がり片９５（図２）が形成されている。この折れ曲がり片９５の裏面は、中板１２の立ち上がり片９４（図５）の前面と当接することにより、交換ユニット２の前後方向の位置決めが決定される。
【００５７】
（上板７０）
上記上板７０は、枠２１の上部に設けられて、リールユニット２０の上方を覆っているものである。具体的には、上板７０は、枠２１の高さ方向途中の横方向に渡されるように枠２１に固定されているものである。この上板７０は、リールユニット２０の上方を覆うような位置に固定されているものである。この上板７０は、その側端及び後ろ側の端部において、複数個のねじ及びボルトからなる締結部材により、枠２１にしっかりと固定されているものである。なお、この上板７０は、金属性の板状の板状部材からなるものである。
【００５８】
（上扉３０）
上記上扉３０は、交換ユニット２の枠２１に回転自在かつロック可能に形成されている板状の扉である。そして、上扉３０は、略中央部に前記回転リール２３の図柄を正面側から見ることができる図柄表示窓３１を有し、周囲に飾り部３３が設けられ、種々の表示を行うための表示装置３２が設けられているものである。
【００５９】
ここで、前記飾り部３３は、他のランプ等により形成しても良く、入賞の報知その他の演出時にランプが点滅するように形成してもよい。また、前記表示装置３２は、７セグメントＬＥＤ等により数字を表示するものや、特に図示しないが、画像を表示するための液晶表示装置やＣＲＴなどとしてもよいものである。
さらに、図６に示すように、上扉３０の正面から向かって左側の裏面には、前記枠体係合部６０の延長枠体係合部６４に係合可能な上扉係合部６１が上下方向に間隔をおいて二つ設けられている。そして、上扉３０の正面から向かって右側の裏面には、延長突出片６５にロック可能な扉ロック機構７が設けられている。延長枠体係合部６４に上扉係合部６１が回動可能に係合することにより、上扉３０は、延長枠体係合部６４に軸支されるものである。そして、上扉３０を閉じると、延長突出片６５に扉ロック機構７がロックされることにより、上扉３０を閉じた状態に維持することができるものである。
【００６０】
また、上扉３０の裏面上部の左右には、種々の音声を出力するためのスピーカ４９が設けられている。
（下扉４０）
上記下扉４０は、本体キャビネット１の開口下部１４を塞ぐための、上扉３０よりも幅厚の扉であり、本体キャビネット１の側板１６に回転自在かつロック可能に形成されているものである。
【００６１】
前記下扉４０の上部は、遊技機Ｓを作動させるための操作部４１となっており、下扉４０の上面は、閉扉時においては、上扉３０よりも前側に突出するようになっている。また、下部には払い出されたメダルを溜めておくための箱状のメダル受け４３が形成されており、下扉４０の略中央部には、遊技内容その他の案内表示をするための前パネル５０が嵌め込まれている。
【００６２】
前記操作部４１としては、下扉４０の上面右端にはメダル投入口４２と、上面左側に設けられたベットスイッチと、正面側にはレバー式のスタートスイッチと、ボタン式のストップスイッチと、鍵穴４４とが設けられている。なお、ベットスイッチとは、貯留メダルをメダル投入に代えるためのものであり、スタートスイッチ及びストップスイッチは、回転リール２３の回転を開始及び停止させるためのものである。また、鍵穴４４は、前扉３を解錠するためのものであり、この穴に所定の鍵を差し込んで回すと、下扉４０の扉ロック機構７のロックが解除されるものである。
【００６３】
さらに、図６に示すように、下扉４０の裏面側には、前記メダル投入口４２から投入された遊技メダルを誘導しながら遊技メダルの正偽を判断するためのメダルセレクター４８が設けられている。
また、下扉４０の正面から向かって左側の裏面には、開口下部１４の本体係合部６２と係合可能な下扉係合部６３が上下方向に間隔をおいて二つ設けられている。そして、下扉４０の正面から向かって右側の裏面には、本体キャビネット１の開口下部１４の突出片６９にロック可能なアンカー状のものを有する扉ロック機構７が設けられている。
【００６４】
（作用及び効果）
本実施の形態に係る遊技機Ｓは、交換ユニット２の交換作業において、交換作業者が、隙間部１００に手を差し込んで、交換ユニット２の一部を手で掴むことができる。このため、交換作業者は、交換ユニット２の交換作業において、一旦、掴んだ手を持ち替える必要がなく、そのまま、交換ユニット２を本体キャビネット１から取り外すことができ、或いは、交換ユニット２を本体キャビネット１に取り付けることができる。これにより、交換ユニット２の取り付け作業、或いは交換ユニット２の取り外し作業中、交換作業者は交換ユニット２から手の掴み位置を変更する必要がなく、一体的で連続的な動作により、交換ユニット２の着脱作業を行うことができる。これにより、交換ユニット２の交換作業を安全確実で容易なものにすることができる。
【００６５】
本実施の形態に係る遊技機Ｓは、交換ユニット２の左右方向及び上方向において、本体キャビネット１との間に左隙間部１０２、右隙間部１０１及び上隙間部１０３からなる隙間の空間である隙間部１００を連続的に形成することができる。これにより、交換ユニット２を本体キャビネット１の正面開口部１１の上部に着脱する際、交換ユニット２の左右方向及び上方向を本体キャビネット１の内面に衝突させることなく、着脱作業を行うことができる。これにより、かかる衝突による機器の破損を防止することができる。
【００６６】
また、このように左右方向及び上方向に隙間部１００を形成したことにより、交換ユニット２を本体キャビネット１に差し込む際、隙間部１００を形成していない場合よりも、差し込む位置の許容量の範囲を大きくすることができ、差し込み位置を簡単に見つけることができる。これにより、交換作業の容易化を図ることができる。
【００６７】
本実施の形態は、交換ユニット２の左右の隙間部１００において、隙間固定装置１２０が、交換ユニット２と本体キャビネット１との間をそれぞれ固定する。このため、交換ユニット２を、左右の隙間固定装置１２０を介して、本体キャビネット１の内側面の間に固定することができる。
そして、かかる隙間固定装置１２０は、交換ユニット２の左右方向の固定位置を調整可能な固定位置調整手段１２６を備えていることにより、交換ユニット２の固定位置が、左右方向にずれていても、かかるずれに対応して、交換ユニット２の固定位置を調整することができる。これにより、固定位置調整手段１２６を有していない場合と比較して、交換ユニット２の固定位置の許容幅を大きくすることができる。したがって、交換作業者は交換ユニット２の設置作業を容易なものにすることができる。
【００６８】
本実施の形態に係る遊技機Ｓにおいて、交換ユニット２の左右方向及び上方向には、左隙間部１０２、右隙間部１０１及び上隙間部１０３からなる隙間の空間である隙間部１００を形成しているため、かかる箇所において、交換ユニット２を本体キャビネット１から内部側へ離した位置に形成することができる。これにより、本体キャビネット１の左右の側板１６や、天板１７からワイヤ等の異物混入によるゴト行為や、外部からの強力な電磁波による、いわゆる電波ゴト等の影響を抑えることが可能となる。
【００６９】
なお、本実施の形態では、交換ユニット２から上扉３０を取り外した交換ユニット２だけの交換作業を行っているが、交換ユニット２に上扉３０を装着した扉一体型交換ユニットを形成し、かかる扉一体型交換ユニットを交換して、遊技内容を変更するようなものにも適用することができるものである。
（遊技機Ｓの交換手順）
以上のように構成されたスロットマシンからなる遊技機Ｓについて、遊技内容変更のための台交換は、以下のように行うことができる。
【００７０】
本実施の形態に係る遊技機Ｓは、交換ユニット２を取り替えることができる。すなわち、下扉４０を開けてから上扉３０の扉ロック機構７のロックを解除して、上扉３０を開く、そして、所定の電気的な接続コードの結線を取り外した後、上扉３０を上方に少し持ち上げることにより、交換ユニット２の延長枠体係合部６４から上扉３０の上扉係合部６１を外して、交換ユニット２から上扉３０を取り外す。
【００７１】
次に、左右の隙間部１００から手を差し込んで、左右の隙間固定装置１２０の固定状態を解除する。具体的には、押さえカップ１２５を位置調整ねじ１２４の基端側に移動するようにねじ込むことにより、側板１６から押さえカップ１２５までの距離が小さくなって、交換ユニット２と本体キャビネット１との間を固定していた隙間固定装置１２０の固定状態が解除される。これにより、交換ユニット２は、自由な状態となり、交換作業者は、左右の隙間部１００から手を差し込んで、枠２１の掴みやすい箇所を手で握ることにより、交換ユニット２を簡単に引っ張り出して、交換ユニット２を本体キャビネット１から取り外すことができる。その際、交換ユニット２の左右及び上方向に隙間空間からなる隙間部１００が形成されていることにより、交換ユニット２が、本体キャビネット１の内面に衝突することを押さえることができ、かかる衝突を原因とするような内部機器の破損を押さえることができる。
【００７２】
そして、新たな交換ユニット２を、上述した手順と逆に行うことにより、交換ユニット２を本体キャビネット１内部に装着することができる。
具体的には、新しい交換ユニット２を本体キャビネット１の開口上部１３に差し込む。かかる作業の際、交換ユニット２と、本体キャビネット１との左右方向及び上方向に隙間空間からなる隙間部１００を形成していることにより、交換ユニット２の差し込み位置の許容量の範囲が大きくなり、かかる差し込み作業の位置決めを簡単なものにすることができる。これにより、交換ユニット２を差し込む正確な位置が解らずに、まごついてしまうようなことを回避することができる。そして、交換ユニット２を本体キャビネット１の開口上部１３の中板１２の上に載置した後、左右の隙間部１００から手を差し込んで、下向きに垂れ下がっている隙間固定装置１２０を横向きに設定して、そのまま押さえカップ１２５を位置調整ねじ１２４の自由端側へ移動するように回転させる。そして、押さえカップ１２５の先端が交換ユニット２の側面に当接することにより、交換ユニット２と本体キャビネット１との間を連結固定することができる。そして、かかる作業を左右の隙間固定装置１２０で行うことにより、交換ユニット２は、左右から強固に支持されて、ぶれることなく固定することができる。その際、交換ユニット２の左右の固定位置の微調整は、左右の押さえカップ１２５を同一方向に回転させることにより、簡単に左右方向へ、固定位置を移動させることができる。
【００７３】
そして、所定の電気的な接続コードの結線作業を行った後、上扉３０の上扉係合部６１を、交換ユニット２の延長枠体係合部６４に係合させて、上扉３０を延長枠体係合部６４に軸支させる。そして、開いていた上扉３０を再度、本体キャビネット１の開口上部１３側に向かって閉じる。これにより、扉ロック機構７が作動して上扉３０は交換ユニット２の手前側に固定される。これにより、新たな交換ユニット２の本体キャビネット１への取り付け作業が終了する。
（第二の実施の形態）
（図面の説明）
図７乃至図８は、本発明の第二の実施の形態を示すものである。
【００７４】
図７は本体キャビネット内部に交換ユニットを取り付けた状態の外観正面図、図８は交換ユニットの外観斜視図をそれぞれ示す。
本実施の形態では、隙間部１００を、交換ユニット２の上端と下端との間の一部に形成したことを特徴とするものである。具体的には、この隙間部１００は、交換ユニット２の高さ方向の略中央付近であって、本体キャビネット１の正面から向かって右側の側板１６の内側面と、交換ユニット２の右側面との間に手が差し込める部分右隙間部１０４を有している。そして、隙間部１００は、交換ユニット２の高さ方向の略中央付近であって、本体キャビネット１の正面から向かって左側の側板１６の内側面と、交換ユニット２の左側面との間に手が差し込める部分左隙間部１０５を有している。
【００７５】
さらに、かかる部分右隙間部１０４及び部分左隙間部１０５からなる隙間部１００を、交換ユニット２の手前側に形成したことを特徴とする。
そして、本実施の形態では、交換ユニット２と本体キャビネット１との間に上述したような隙間部１００を形成したこと以外は、隙間部１００を形成していない通常の遊技機Ｓと同様の構成からなるものである。すなわち、交換ユニット２の枠２１は、隙間部１００を除いて、本体キャビネット１の開口上部１３の内部に略隙間なく収納されるような寸法形状に設定されているものである。そして、枠体係合部６０も、第一の実施の形態の延長枠体係合部６４のように横方向に延長されたものではなく、通常の遊技機Ｓに使用される寸法形状のものから形成された標準枠体係合部６６からなるものである。そして、突出片６９も、第一の実施の形態の延長突出片６５のように交換ユニット２の外方向の隙間部１００に向かって突出するのではなく、隙間部１００を有していない通常の遊技機Ｓと同様に、交換ユニット２の内部側に向かって突出する標準突出部６７からなるものである。
【００７６】
そして、交換ユニット２を本体キャビネット１に固定するための固定装置１０も、第一の実施の形態で説明した隙間部１００の隙間固定装置１２０ではなく、隙間部１００を有していない通常の遊技機と同様に、枠２１の左右の縦枠から後方に向かって鉤状に延びるフック３４と、本体キャビネット１の左右の側板１６の内側に固定されて前記フック３４を引っかけて固定可能なクリップ（図示せず）とからなるものである。その他の構成は、第一の実施の形態と同様であるため、説明を省略する。
【００７７】
本実施の形態に係る遊技機Ｓは、部分右隙間部１０４及び部分左隙間部１０５からなる限定された空間からなる隙間部１００を、交換ユニット２の左右であって、交換ユニット２の上端と下端との間の一部に形成している。このため、交換ユニット２の左右であって、交換ユニット２の上端と下端との間の一部の隙間部１００以外の部分には、交換ユニット２を形成することができる。これにより、交換ユニット２の左右の一部に手を差し込めるだけの隙間部１００を形成し、かかる隙間部１００の以外の隙間部１００の上側及び下側の部分を、交換ユニット２の空間として利用することができる。これにより、交換ユニット２の左右全体に隙間部１００を形成するような場合と比較して、本体キャビネット１の内部空間を有効に利用することができる。
【００７８】
さらに、本実施の形態に係る遊技機Ｓは、部分右隙間部１０４及び部分左隙間部１０５からなる隙間部１００を、交換ユニット２の左右であって、交換ユニット２の手前側に形成している。このため、交換ユニット２の左右であって、交換ユニット２の手前側以外の部分、すなわち、交換ユニット２の奥側には、交換ユニット２を形成しないようにすることができる。これにより、交換ユニット２の左右の手前側に手を差し込めるだけの隙間部１００を形成し、隙間部１００の奥側の部分を交換ユニット２の空間として利用することができる。したがって、交換ユニット２の左右の手前側から奥側にまで、前後方向の全奥行きにわたって隙間部１００を形成するような場合と比較して、本体キャビネット１の内部空間を更に有効に利用することができる。
【００７９】
【発明の効果】
本発明は、以上のように構成されているので、以下に記載されるような効果を奏する。
（請求項１）
請求項１記載の発明によれば、次のような効果を奏する。
【００８０】
すなわち、請求項１記載の発明によれば、交換ユニットの交換作業を安全確実で容易なものにすることができるようにした遊技機を提供することができる。
（請求項２）
請求項２記載の発明によれば、上記した請求項１記載の発明の効果に加え、次のような効果を奏する。
【００８１】
すなわち、請求項２記載の発明によれば、隙間部の上側及び下側の部分を、交換ユニットの空間として利用することができて、本体キャビネットの内部空間を有効に利用することができるようにした遊技機を提供することができる。
（請求項３）
請求項３記載の発明によれば、上記した請求項１又は請求項２記載の発明の効果に加え、次のような効果を奏する。
【００８２】
すなわち、請求項３記載の発明によれば、隙間部の奥側の部分を交換ユニットの空間として利用することができて、本体キャビネットの内部空間を有効に利用することができるようにした遊技機を提供することができる。
（請求項４）
請求項４記載の発明によれば、上記した請求項１乃至３のいずれか１項に記載の発明の効果に加え、次のような効果を奏する。
【００８３】
すなわち、請求項４記載の発明によれば、交換ユニットの着脱作業において、交換ユニットと本体キャビネットとの衝突による機器の破損を防止することができ、また、差し込む位置の許容量の範囲を大きくすることができて交換作業の容易化を図ることができるようにした遊技機を提供することができる。
（請求項５）
請求項５記載の発明によれば、上記した請求項１乃至４のいずれか１項に記載の発明の効果に加え、次のような効果を奏する。
【００８４】
すなわち、請求項５記載の発明によれば、交換ユニットの固定位置の許容寸法の許容幅を大きくすることができて、交換ユニットの設置作業を容易なものにすることができるようにした遊技機を提供することができる。
【図面の簡単な説明】
【図１】本発明の第一の実施の形態であって、本体キャビネット内部に交換ユニットを取り付けた状態を示す外観正面図である。
【図２】本発明の第一の実施の形態であって、交換ユニットを示す外観斜視図である。
【図３】本発明の第一の実施の形態であって、隙間固定装置を示す外観斜視図である。
【図４】本発明の第一の実施の形態であって、隙間固定装置を示す縦断面図である。
【図５】本発明の第一の実施の形態であって、遊技機を示す分解斜視図である。
【図６】本発明の第一の実施の形態であって、遊技機を示す分解斜視図である。
【図７】本発明の第二の実施の形態であって、本体キャビネット内部に交換ユニットを取り付けた状態を示す外観正面図である。
【図８】本発明の第二の実施の形態であって、交換ユニットを示す外観斜視図である。
【符号の説明】
Ｓ    遊技機                          １    本体キャビネット
２    交換ユニット                    ３    扉
４    電源装置                        ５    払い出し装置
７    扉ロック機構                    １０  固定装置
１１  正面開口部                      １２  中板
１３  開口上部                        １４  開口下部
１５  底板                            １６  側板
１７  天板                            １８  裏板
２０  リールユニット                  ２１  枠
２３  回転リール                      ２４  基板ユニット
２５  主制御装置                      ２６  基板ケース
３０  上扉                            ３１  表示窓
３２  表示装置                        ３３  飾り部
３４  フック                          ４０  下扉
４１  操作部                          ４２  メダル投入口
４３  メダル受け                      ４４  鍵穴
４８  メダルセレクター                ４９  スピーカー
５０  前パネル                        ６０  枠体係合部
６１  上扉係合部                      ６２  本体係合部
６３  下扉係合部                      ６４  延長枠体係合部
６５  延長突出片                      ６６  標準枠体係合部
６７  標準突出部                      ６９  突出片
７０  上板                            ８０  ガイド
８１  移動体                          ９４  立ち上がり片
９５  折れ曲がり片                    １００    隙間部
１０１    右隙間部                      １０２    左隙間部
１０３    上隙間部                      １０４    部分右隙間部
１０５    部分左隙間部                  １２０    隙間固定装置
１２１    前後軸                        １２２    前後軸支持部
１２３    回転円筒部                    １２４    位置調整ねじ
１２５    押さえカップ                  １２６    固定位置調整手段
１２７    カップねじ孔
【図１】
2004275414.tif 000003
【図２】
2004275414.tif 000004
【図３】
2004275414.tif 000005
【図４】
2004275414.tif 000006
【図５】
2004275414.tif 000007
【図６】
2004275414.tif 000008
【図７】
2004275414.tif 000009
【図８】
2004275414.tif 000010